(57)【要約】【課題】屋根構造体の樋による排水性能を確保しつつ、屋根構造体の意匠性を向上する。【解決手段】屋根構造体１は、水下桁３の長手方向に沿って延びる樋枠１０と、樋枠１０に取り付けられた屋根面材６を備えている。樋枠１０は、水下桁３に取り付けられて水下桁３の長手方向に対して平行に延びるベース部材２０と、水下桁３の長手方向に対して傾斜して延びる樋部材３０を有している。屋根面材６は、ベース部材２０に取り付けられている。【選択図】  図２
2020159130.tif 000002
【特許請求の範囲】
【請求項１】
桁の長手方向に沿って延びる樋枠と、前記樋枠に取り付けられた屋根面材と、を備えた屋根構造体であって、
前記樋枠は、前記桁に取り付けられて前記桁の長手方向に対して平行に延びるベース部材と、前記桁の長手方向に対して傾斜して延びる樋部材と、を有し、
前記屋根面材は、前記ベース部材に取り付けられた屋根構造体。
【請求項２】
請求項１に記載された屋根構造体において、
前記ベース部材は、上方に向かって開放された収容溝を有し、
前記樋部材は、前記収容溝に収容されて前記ベース部材に取り付けられた屋根構造体。
【請求項３】
請求項１又は２に記載された屋根構造体において、
前記樋部材は、前記樋部材の長手方向に延びるとともに、上下方向に間隔を開けて形成された複数の長手方向線を有する屋根構造体。
【請求項４】
請求項１ないし３のいずれかに記載された屋根構造体において、
前記ベース部材は、ビスが挿通する挿通孔を有し、
前記樋部材は、上下方向に間隔を開けて形成されて、それぞれ前記挿通孔を挿通する前記ビスが螺合可能な複数のネジ孔を有する屋根構造体。
【請求項５】
請求項１ないし４のいずれかに記載された屋根構造体において、
前記ベース部材は、前記桁に形成された被係止部に係止される係止部を有する屋根構造体。
【発明の詳細な説明】
【技術分野】
【０００１】
本発明は、屋根面材が取り付けられた樋により排水する屋根構造体に関する。
【背景技術】
【０００２】
屋根構造体は、一般に、屋根面に設けられた屋根面材と、溝状の樋を備えている。雨天時に、屋根構造体は、屋根面材で雨水を受けて、樋により雨水を排水する。また、従来、フレーム体の奥行方向梁に沿って雨樋（樋）を設け、屋根体（屋根面材）の縁部を雨樋に取り付けた屋外構造体が知られている（特許文献１参照）。
【０００３】
特許文献１に記載された従来の屋外構造体では、雨樋は、屋根体から受ける雨水を排水するため、水勾配を有しており、奥行方向梁の長手方向に対して傾斜した状態で、奥行方向梁に取り付けられる。そのため、雨樋と奥行方向梁が平行ではなく、雨樋の両端部で、奥行方向梁に対する取付位置にズレが生じて、奥行方向梁に取り付けた雨樋の意匠性が低下することがある。また、屋根体は、雨水を雨樋に向かって流すため、水勾配を有しており、水下側に位置する雨樋に取り付けられている。雨樋と屋根体のそれぞれが水勾配を有することで、屋根体が捻じれるように２つの水勾配の方向に傾き、屋根体の意匠性が低下することもある。
【先行技術文献】
【特許文献】
【０００４】
【特許文献１】特許第５１９２４１８号公報
【発明の概要】
【発明が解決しようとする課題】
【０００５】
本発明は、前記従来の問題に鑑みなされたもので、その目的は、屋根構造体の樋による排水性能を確保しつつ、屋根構造体の意匠性を向上することである。
【課題を解決するための手段】
【０００６】
本発明は、桁の長手方向に沿って延びる樋枠と、前記樋枠に取り付けられた屋根面材と、を備えた屋根構造体であって、前記樋枠は、前記桁に取り付けられて前記桁の長手方向に対して平行に延びるベース部材と、前記桁の長手方向に対して傾斜して延びる樋部材と、を有し、前記屋根面材は、前記ベース部材に取り付けられた屋根構造体である。
【発明の効果】
【０００７】
本発明によれば、屋根構造体の樋による排水性能を確保しつつ、屋根構造体の意匠性を向上することができる。
【図面の簡単な説明】
【０００８】
【図１】本実施形態の屋根構造体を示す斜視図である。
【図２】本実施形態の屋根構造体の要部を示す斜視図である。
【図３】本実施形態の屋根構造体の要部を示す断面図である。
【図４】本実施形態の水下桁と樋枠の延びる方向の関係を模式的に示す図である。
【図５】本実施形態のベース部材と樋部材の取付構造を示す断面図である。
【発明を実施するための形態】
【０００９】
本発明の屋根構造体の一実施形態について、図面を参照して説明する。
本実施形態の屋根構造体は、屋外構造物（例えば、カーポート、テラス、ポーチ、サンルーム）に設置される屋根であり、屋外構造物内の空間を覆う。屋根構造体は、水（雨水）を受けたときに、樋により排水する。
【００１０】
図１は、本実施形態の屋根構造体１を示す斜視図である。
図示のように、屋根構造体１は、上下方向に沿って延びる複数の支柱２と、支柱２に取り付けられた複数の桁３〜５（水下桁３、水上桁４、一対の側桁５）と、桁３〜５に連結された屋根面材６を備えている。ここでは、屋根構造体１及び屋根面材６は、平面視で矩形状に形成されており、屋根構造体１は、４つの支柱２と４つの桁３〜５を備えている。支柱２は、屋根構造体１の四隅で地面に設置され、互いに間隔を開けて配置されている。桁３〜５は、それぞれ２つの支柱２に架け渡されており、桁３〜５の長手方向の端部は、それぞれ支柱２の上部に取り付けられている。４つの桁３〜５は、矩形状に配置されて、支柱２により支持されている。
【００１１】
屋根面材６は、屋根構造体１の屋根面に設けられる屋根部であり、桁３〜５に囲まれた矩形状の領域に配置されている。桁３〜５は、屋根面材６を支持する支持材であり、屋根面材６の４つの縁部に沿って配置されて、屋根面材６の縁部をそれぞれ支持している。屋根面材６は、水勾配Ｋを有しており、水平方向に対して傾斜している。屋根面材６の水勾配Ｋは、水上側（水上桁４側）から水下側（水下桁３側）に向かって下る下り勾配（下り傾斜）であり、屋根面材６は、水上側から水下側に向かって次第に下るように傾斜して設置されている。屋根面材６で雨水を受けたときに、雨水は、屋根面材６の上を水上側から水下側に向かって流れる。
【００１２】
水下桁３は、屋根面材６の水下側に設けられて、屋根面材６の水下側の縁部に沿って配置されている。屋根面材６の水下側の縁部は、水下桁３に連結されて、水下側支持材である水下桁３により支持されている。水上桁４は、屋根面材６の水上側に設けられて、屋根面材６の水上側の縁部に沿って配置されている。屋根面材６の水上側の縁部は、水上桁４に連結されて、水上側支持材である水上桁４により支持されている。
【００１３】
側桁５は、屋根面材６の側方に設けられて、屋根面材６の側方の縁部（側縁部）に沿って配置されている。屋根面材６の側方は、屋根面材６において水勾配Ｋに直交する方向側であり、一対の側桁５は、屋根面材６の両側方に設けられている。屋根面材６の側縁部は、側桁５に連結されて、側方支持材である側桁５により支持されている。水下桁３の端部と側桁５の水下側の端部は、水下側の支柱２に取り付けられて、支柱２を介して互いに連結されている。水上桁４の端部と側桁５の水上側の端部は、水上側の支柱２に取り付けられて、支柱２を介して互いに連結されている。
【００１４】
屋根面材６は、屋根支持部材である複数の垂木６Ａと、屋根ふき材である複数の屋根パネル６Ｂを有している。垂木６Ａは、一対の側桁５の間で、互いに間隔を開けて並列しており、屋根面材６の水勾配Ｋに沿って延びる。屋根パネル６Ｂは、矩形状に形成されたパネル材であり、垂木６Ａにより支持されて、屋根面材６の水勾配Ｋに沿って配置されている。屋根パネル６Ｂの側縁部は、垂木６Ａに取り付けられており、屋根パネル６Ｂは、隣り合う２つの垂木６Ａの間の領域を覆う。垂木６Ａと屋根パネル６Ｂにより、屋根面材６の屋根面が形成されている。
【００１５】
図２は、本実施形態の屋根構造体１の要部を示す斜視図であり、屋根面材６の水下側の部分（図１の矢印Ｘ１方向からみた屋根構造体１の要部）を拡大して示している。図３は、本実施形態の屋根構造体１の要部を示す断面図であり、図２の矢印Ｘ２方向からみた屋根構造体１の断面を示している。
図示のように、屋根構造体１は、屋根面材６の水下側の縁部に設けられた樋枠１０と、樋枠１０を保持する桁（保持桁）である水下桁３を備えている。水下桁３は、中空部を有する中空形状に形成されており、樋枠１０に対して屋根面材６の水下側に隣接して配置されている。水下桁３と樋枠１０は、例えば、押出成形により形成された金属（例えば、アルミニウム合金）製の形材から形成されており、屋根面材６の水下側に並列して配置されている。
【００１６】
水下桁３は、樋枠１０を保持する保持部３Ａと、樋枠１０の上側に張り出す張出部３Ｂと、樋枠１０を係止する２つの被係止部３Ｃ、３Ｄを有している。保持部３Ａは、水下桁３の屋根面材６側の部分に形成された壁部（保持壁）であり、樋枠１０と対向している。張出部３Ｂは、水下桁３の保持部３Ａよりも上側に形成された突片であり、保持部３Ａの上側部から樋枠１０の上側の位置まで張り出して、樋枠１０の水下桁３側の部分を覆う。被係止部３Ｃ、３Ｄは、上向きのフック部であり、樋枠１０に向かって突出するとともに、突出方向の先端で上方に屈曲して、上方に向かって開放された凹部を形成している。また、被係止部３Ｃ、３Ｄは、樋枠１０を受ける受け部であり、上下方向に離隔して保持部３Ａに形成されている。保持部３Ａ及び被係止部３Ｃ、３Ｄは、張出部３Ｂの下側に位置している。
【００１７】
樋枠１０は、水下桁３の張出部３Ｂよりも下側の位置で、水下桁３の長手方向に沿って延びる。ここでは、樋枠１０は、屋根面材６の前枠であり、水下桁３は、屋根構造体１の前桁である。樋枠１０は、屋根面材６の水下側の縁部及び水下桁３の長手方向に沿って配置されて、水下桁３に取り付けられている。屋根面材６（水下側の縁部）は、樋枠１０に取り付けられており、樋枠１０により水下桁３に連結されている。
【００１８】
樋枠１０は、樋枠１０のベース部であるベース部材２０と、樋枠１０の樋部である樋部材３０を有している。ベース部材２０は、樋枠１０において外側に位置する外側部材であり、水下桁３に取り付けられている。樋部材３０は、樋枠１０において内側に位置する内側部材であり、ベース部材２０に取り付けられて、ベース部材２０に保持されている。ベース部材２０は、水下桁３の長手方向に平行に配置され、樋部材３０は、水下桁３の長手方向及びベース部材２０の長手方向に対して傾斜して配置されている。屋根面材６（水下側の縁部）は、樋枠１０の樋部材３０には取り付けられず、樋枠１０のベース部材２０に取り付けられている。屋根面材６は、樋枠１０のベース部材２０により水下桁３に連結されており、ベース部材２０に支持されるとともに、ベース部材２０を介して、水下桁３に支持されている。
【００１９】
図４は、本実施形態の水下桁３と樋枠１０の延びる方向（長手方向）の関係を模式的に示す図であり、図２の矢印Ｘ３方向からみた水下桁３と樋枠１０を示している。図４では、左右方向が水平方向である。
図示のように、水下桁３、樋枠１０のベース部材２０、及び、樋枠１０の樋部材３０は、それぞれの長手方向に延びる。また、ベース部材２０及びベース部材２０の長手方向は、水下桁３の長手方向に対して平行に延び、樋部材３０及び樋部材３０の長手方向は、水下桁３の長手方向及びベース部材２０の長手方向に対して傾斜して延びる。水下桁３の長手方向とベース部材２０の長手方向は、水平方向であり、水下桁３とベース部材２０は、水平方向に沿って延びる。
【００２０】
樋枠１０の樋部材３０は、水平方向に対して傾斜して延びる屋根構造体１の樋であり、水勾配を有している。樋部材３０の水勾配は、樋部材３０の長手方向の一端部（水上側の端部）から他端部（水下側の端部）に向かって下る下り勾配である。樋部材３０の一端部は、樋部材３０の他端部よりも高い位置に配置されており、樋部材３０は、一端部から他端部に向かって次第に下るように傾斜して設置されている。樋部材３０で雨水を受けたときに、雨水は、樋部材３０の上を一端部側から他端部側に向かって流れて、排水される。
【００２１】
屋根構造体１は、樋枠１０の長手方向の両側の端部に設けられた水密部材４０と連結部材４１を備えている（図２、図３参照）。水密部材４０は、板状に形成された連結板であり、表面にシート状に形成されたシーラ（水密シート）を備え、樋部材３０の端部を覆う。連結部材４１は、板状に形成された連結板であり、表面にシート状に形成されたシーラ（水密シート）を備え、樋部材３０の端部及びベース部材２０の端部を覆う。
【００２２】
水密部材４０が樋部材３０の端部と連結部材４１の間に配置された状態で、連結部材４１は、取付部材であるビス（図示せず）により、ベース部材２０に取り付けられて、ベース部材２０の端部を塞ぐ。水密部材４０は、樋部材３０の端部と連結部材４１の間に挟まれて、連結部材４１により樋部材３０の端部に固定され、樋部材３０の端部を塞ぐ。連結部材４１は、ビス（図示せず）により側桁５に取り付けられる取付片４２を有しており、ベース部材２０の端部及び側桁５に取り付けられて、ベース部材２０の端部を側桁５に連結する。
【００２３】
樋枠１０のベース部材２０は、水下桁３から屋根面材６側に向かって配置された底面部２１と、底面部２１の一方の縁部から立ち上がる取付壁２２と、底面部２１の他方の縁部から立ち上がる連結壁２３と、水下桁３に係止される２つの係止部２４、２５と、上方に向かって開放された凹状の収容溝２６を有している。取付壁２２は、水下桁３の保持部３Ａに沿って配置されて、係止部２４、２５により、保持部３Ａに取り付けられている。係止部２４、２５は、下向きのフック部（引掛部）であり、水下桁３に向かって突出するとともに、突出方向の先端で下方に屈曲している。
【００２４】
ベース部材２０の係止部２４、２５は、上下方向に離隔して取付壁２２に形成されており、水下桁３の張出部３Ｂの下側で、それぞれ水下桁３に形成された被係止部３Ｃ、３Ｄに上方から引っ掛けられて係止される。水下桁３の被係止部３Ｃ、３Ｄは、ベース部材２０の係止部２４、２５を受ける受け部であり、係止部２４、２５は、それぞれ被係止部３Ｃ、３Ｄに嵌る。係止部２４、２５は、それぞれ被係止部３Ｃ、３Ｄに係止されて、被係止部３Ｃ、３Ｄに取り付けられる。
【００２５】
ベース部材２０は、係止部２４、２５と被係止部３Ｃ、３Ｄにより、水下桁３の保持部３Ａに取り付けられて、水下桁３の保持部３Ａに保持されている。ベース部材２０の取付壁２２と水下桁３の保持部３Ａは、互いの間に空隙部１１を形成しており、空隙部１１において、隙間を開けて対向している。空隙部１１の上部は、上側の被係止部３Ｃと係止部２４により塞がれ、空隙部１１の下部は、下側の被係止部３Ｄと係止部２５により塞がれている。
【００２６】
ベース部材２０の取付壁２２と連結壁２３は、間隔を開けて互いに対峙する。屋根面材６の水下側で、垂木６Ａの端部は、連結壁２３の載置部２７に載置されており、垂木６Ａの端部及び屋根パネル６Ｂの端部は、連結壁２３の載置部２７を覆うように配置されている。載置部２７は、連結壁２３の上部に形成された突出部であり、水下桁３側に向かって突出している。垂木６Ａの端部が連結壁２３に取り付けられて、屋根面材６の水下側の縁部が連結壁２３に連結されている。
【００２７】
ベース部材２０の収容溝２６は、樋部材３０を保持する保持溝であり、底面部２１、取付壁２２、及び、連結壁２３により、上方に開口した溝状に形成されている。樋部材３０は、収容溝２６に収容されて、ベース部材２０に取り付けられている。また、樋部材３０は、ベース部材２０の収容溝２６内に嵌め込まれて、水下桁３の長手方向及びベース部材２０の長手方向に対して傾斜した状態で、長手方向の全体にわたって収容溝２６に収容されている。屋根面材６の上を流れる水は、ベース部材２０の連結壁２３を越えて、樋部材３０内に流入する。
【００２８】
樋枠１０の樋部材３０は、ベース部材２０の底面部２１に沿って配置された底部３１と、底部３１の一方の縁部に連続して上方に突出する取付部３２と、底部３１の他方の縁部に連続して上方に突出する当接部３３と、上方に向かって開放された凹状の排水溝部３４を有している。底部３１は、段部を有する段形状に形成され、ベース部材２０の底面部２１の上側に配置されている。取付部３２と当接部３３は、中空部を有する一対の壁部であり、間隔を開けて互いに対峙する。
【００２９】
取付部３２は、収容溝２６の内側で、ベース部材２０の取付壁２２に沿って配置されて、取付部材であるビス４３により、取付壁２２に取り付けられている。ビス４３の頭部は、空隙部１１に配置されている。当接部３３は、収容溝２６の内側で、ベース部材２０の連結壁２３に沿って配置されて、連結壁２３に当接している。排水溝部３４は、雨水を受ける水受け部（樋溝部）であり、底部３１、取付部３２、及び、当接部３３により、上方に開口した溝状に形成されている。
【００３０】
雨水は、屋根面材６から樋部材３０の排水溝部３４内に流入する。また、雨水は、排水溝部３４内を樋部材３０の水上側から水下側に向かって流れて、排水溝部３４により排水される。樋部材３０の水下側の端部において、雨水は、底部３１に形成された排水孔、及び、ベース部材２０の底面部２１に形成された排水孔を通って、樋部材３０の排水溝部３４から排水される。
【００３１】
ベース部材２０の底面部２１は、樋部材３０及び底部３１の下側に位置している。また、ベース部材２０の取付壁２２は、樋部材３０及び取付部３２の水下桁３側に位置し、ベース部材２０の連結壁２３は、樋部材３０及び当接部３３の屋根面材６側に位置している。底面部２１、取付壁２２、及び、連結壁２３により、ベース部材２０は、収容溝２６内の樋部材３０を下側、水下桁３側、及び、屋根面材６側から覆って遮蔽している。このように、ベース部材２０は、収容溝２６の上側の開口を除いて樋部材３０を遮蔽しており、樋部材３０は、収容溝２６の上側の開口からのみ露出している。樋枠１０を屋根面材６の下側からみたときに、樋部材３０は、ベース部材２０から露出せずに、ベース部材２０により遮蔽される。
【００３２】
図５は、本実施形態のベース部材２０と樋部材３０の取付構造を示す断面図であり、図３に示す樋枠１０におけるビス４３の周辺部分を拡大して示している。また、図５Ａは、樋部材３０の水上側に位置するベース部材２０と樋部材３０を示し、図５Ｂは、樋部材３０の水下側に位置するベース部材２０と樋部材３０を示している。
図４、図５に示すように、樋枠１０の樋部材３０は、樋部材３０の長手方向に延びる複数の長手方向線３５、３６を有している。複数の長手方向線３５、３６は、ベース部材２０に対する樋部材３０の上下方向の取付位置の基準となる基準線であり、樋部材３０の長手方向の全体にわたって、上下方向に間隔を開けて形成されている。
【００３３】
複数の長手方向線３５、３６は、互いに平行に形成された直線部（例えば、ケガキ線、線状の溝、線状の突起）であり、樋部材３０のベース部材２０と対向する部分に並列して形成されている。樋部材３０をベース部材２０に取り付けるときに、ベース部材２０に対する樋部材３０の上下方向の取付位置の基準として長手方向線３５、３６を用いて、樋部材３０の上下方向の取付位置を設定する。また、長手方向線３５、３６を用いて、ベース部材２０の長手方向に対する樋部材３０の傾斜、及び、樋部材３０の水勾配が設定される。
【００３４】
樋部材３０の水上側では（図５Ａ参照）、最上側の長手方向線３５を除いた長手方向線３６を基準に、樋部材３０の上下方向の取付位置を設定して、樋部材３０をベース部材２０に取り付ける。樋部材３０の水下側では（図５Ｂ参照）、樋部材３０の水上側で基準とした長手方向線３６よりも上側の長手方向線３５を基準に、樋部材３０の上下方向の取付位置を設定して、樋部材３０をベース部材２０に取り付ける。これにより、樋部材３０の長手方向をベース部材２０の長手方向に対して傾斜させて、樋部材３０を水勾配に対応して傾斜した状態でベース部材２０に取り付ける。
【００３５】
ここでは、２つの長手方向線３５、３６が樋部材３０の壁状の取付部３２に形成されている。樋部材３０の水上側では（図５Ａ参照）、下側の長手方向線３６をビス４３の位置に配置して、ビス４３により、樋部材３０の取付部３２をベース部材２０の取付壁２２に取り付ける。樋部材３０の水下側では（図５Ｂ参照）、上側の長手方向線３５をビス４３の位置に配置して、ビス４３により、樋部材３０の取付部３２をベース部材２０の取付壁２２に取り付ける。
【００３６】
ベース部材２０は、ビス４３が挿通する挿通孔２８を有しており、樋部材３０は、ビス４３の取付孔である複数のネジ孔３７、３８を有している。挿通孔２８は、ベース部材２０の長手方向の複数箇所で、ベース部材２０の取付壁２２に形成されており、ビス４３は、ベース部材２０の外側（水下桁３側）から挿通孔２８に挿入される。複数のネジ孔３７、３８は、樋部材３０の長手方向の複数箇所で、上下方向に間隔を開けて形成されている。ビス４３は、ベース部材２０の挿通孔２８を挿通した状態で、複数のネジ孔３７、３８のそれぞれに螺合可能である。
【００３７】
樋部材３０の水上側と水下側で、上下方向の位置が異なるネジ孔３７、３８にビス４３を螺合して取り付ける。その際、樋部材３０の各ネジ孔３７、３８をベース部材２０の挿通孔２８の位置に合わせて配置して、ビス４３を各ネジ孔３７、３８にねじ込む。これにより、樋部材３０の長手方向をベース部材２０の長手方向に対して傾斜させて、樋部材３０を水勾配に対応して傾斜した状態でベース部材２０に取り付ける。
【００３８】
ここでは、２つのネジ孔３７、３８が樋部材３０の取付部３２に形成されている。樋部材３０の水上側では（図５Ａ参照）、下側の長手方向線３６を基準に、樋部材３０の上下方向の取付位置を設定して、ビス４３を下側のネジ孔３８に螺合する。樋部材３０の水下側では（図５Ｂ参照）、上側の長手方向線３５を基準に、樋部材３０の上下方向の取付位置を設定して、ビス４３を上側のネジ孔３７に螺合する。従って、樋部材３０のネジ孔３７、３８は、例えば、樋部材３０の複数の長手方向線３５、３６の上下方向の間隔と同じ間隔で上下方向に互いに離隔して形成される。
【００３９】
以上説明した屋根構造体１では、樋枠１０がベース部材２０と樋部材３０を有しており、樋枠１０の樋部材３０により円滑に排水することができる。また、樋枠１０のベース部材２０を水下桁３の長手方向に平行に配置でき、ベース部材２０の長手方向の両端部で、水下桁３に対するベース部材２０の取付位置にズレが生じるのを防止することができる。そのため、水下桁３に取り付けたベース部材２０の見た目をよくして、意匠性を向上することができる。屋根面材６をベース部材２０に取り付けることで、屋根面材６が捻じれるように傾くのを防止して、屋根面材６の外観及び意匠性を向上することができる。従って、屋根構造体１の樋による排水性能を確保しつつ、屋根構造体１の意匠性を向上することができる。
【００４０】
樋部材３０をベース部材２０の収容溝２６に収容するため、樋部材３０の露出を抑制して、樋枠１０の外観及び意匠性を向上することができる。ベース部材２０の係止部２４、２５を水下桁３の被係止部３Ｃ、３Ｄに係止することで、ベース部材２０を水下桁３に容易に取り付けることができる。
【００４１】
樋部材３０の複数の長手方向線３５、３６により、ベース部材２０に対する樋部材３０の上下方向の取付位置を容易に判断することができる。また、樋部材３０の水勾配を容易に設定して、樋部材３０をベース部材２０に容易に取り付けることができる。樋部材３０の複数のネジ孔３７、３８を用いて、ビス４３により、樋部材３０をベース部材２０に水勾配を有する状態で容易に取り付けることができる。
【００４２】
なお、樋枠１０のベース部材２０は、水下桁３に直接に取り付けてもよく、水下桁３に他の部材（例えば、取り付け用のアタッチメント）を介して間接に取り付けてもよい。樋枠１０の樋部材３０は、ベース部材２０以外の部材（例えば、水下桁３）に取り付けてもよい。樋枠１０の一方の端部側のみに側桁５を設けて、樋枠１０の他方の端部側に側桁５以外の部材（例えば、他の樋枠、建物の外壁）を設けるようにしてもよい。樋部材３０に３つ以上の長手方向線を形成してもよい。この場合には、樋枠１０の長さや樋部材３０の水勾配に応じて、樋部材３０の取付位置の基準として用いる長手方向線を選択する。また、樋部材３０に３つ以上のネジ孔を形成してもよい。この場合には、樋枠１０の長さや樋部材３０の水勾配に応じて、ビス４３を螺合するネジ孔を選択する。
【００４３】
本発明は、種々の屋根構造体、例えば、独立した屋根構造体、建物に併設された屋根構造体、支柱のみにより支持された屋根構造体、支柱と建物により支持された屋根構造体、建物のみにより支持された屋根構造体、又は、建物から張り出した屋根構造体に適用することができる。
【００４４】
以上のとおり、屋根構造体は、桁の長手方向に沿って延びる樋枠と、前記樋枠に取り付けられた屋根面材と、を備えた屋根構造体であって、
前記樋枠は、前記桁に取り付けられて前記桁の長手方向に対して平行に延びるベース部材と、前記桁の長手方向に対して傾斜して延びる樋部材と、を有し、
前記屋根面材は、前記ベース部材に取り付けられた屋根構造体である。
この屋根構造体によれば、屋根構造体の樋による排水性能を確保しつつ、屋根構造体の意匠性を向上することができる。
【００４５】
前記ベース部材は、上方に向かって開放された収容溝を有し、
前記樋部材は、前記収容溝に収容されて前記ベース部材に取り付けられる。
樋部材をベース部材の収容溝に収容するため、樋部材の露出を抑制して、樋枠の外観及び意匠性を向上することができる。
【００４６】
前記樋部材は、前記樋部材の長手方向に延びるとともに、上下方向に間隔を開けて形成された複数の長手方向線を有する。
樋部材の複数の長手方向線により、ベース部材に対する樋部材の上下方向の取付位置を容易に判断することができる。また、樋部材の水勾配を容易に設定して、樋部材をベース部材に容易に取り付けることができる。
【００４７】
前記ベース部材は、ビスが挿通する挿通孔を有し、
前記樋部材は、上下方向に間隔を開けて形成されて、それぞれ前記挿通孔を挿通する前記ビスが螺合可能な複数のネジ孔を有する。
樋部材の複数のネジ孔を用いて、ビスにより、樋部材をベース部材に水勾配を有する状態で容易に取り付けることができる。
【００４８】
前記ベース部材は、前記桁に形成された被係止部に係止される係止部を有する。
ベース部材の係止部を桁の被係止部に係止することで、ベース部材を桁に容易に取り付けることができる。
【符号の説明】
【００４９】
１・・・屋根構造体、２・・・支柱、３・・・水下桁、３Ａ・・・保持部、３Ｂ・・・張出部、３Ｃ・・・被係止部、３Ｄ・・・被係止部、４・・・水上桁、５・・・側桁、６・・・屋根面材、６Ａ・・・垂木、６Ｂ・・・屋根パネル、１０・・・樋枠、１１・・・空隙部、２０・・・ベース部材、２１・・・底面部、２２・・・取付壁、２３・・・連結壁、２４・・・係止部、２５・・・係止部、２６・・・収容溝、２７・・・載置部、２８・・・挿通孔、３０・・・樋部材、３１・・・底部、３２・・・取付部、３３・・・当接部、３４・・・排水溝部、３５・・・長手方向線、３６・・・長手方向線、３７・・・ネジ孔、３８・・・ネジ孔、４０・・・水密部材、４１・・・連結部材、４２・・・取付片、４３・・・ビス、Ｋ・・・水勾配。
【図１】
2020159130.tif 000003
【図２】
2020159130.tif 000004
【図３】
2020159130.tif 000005
【図４】
2020159130.tif 000006
【図５】
2020159130.tif 000007